(57)【要約】【課題】  プルリングを用いずにキャップをねじの解放方向に回動するだけで簡単に開栓することができ、開栓した後に再度キャップを閉じた際には、確実に容器内を密封して衛生的な抜栓キャップを提供すること。【解決手段】  容器本体の口部に装着され注出筒を有する中栓と、該中栓に螺合して着脱可能に装着されるキャップとからなり、中栓は、注出筒の内周面に薄肉弱化部を介して連結され、内周に環状の第１係合突条を設けるととも外周に第１歯部を設けた筒状壁を立設する栓体を具え、キャップは、外周に環状の第２係合突条が形成された係着突部と、切断筒部とを具え、中栓に装着されたとき、第２係合突条が第１係合突条を乗り越えて筒状壁内周面に液密に嵌合し、切断筒部の内周には、キャップを螺脱させるときのみ第１歯部に係合する第２歯部が配設されていることを特徴とする。【選択図】  図１
2015105130.tif 000002
【特許請求の範囲】
【請求項１】
容器本体の口部に装着され、注出口を形成して内容物を案内する注出筒を有する中栓と、該中栓に螺合して着脱可能に装着されるキャップとからなり、
中栓は、注出筒の内周面に薄肉弱化部を介して連結され、内周に環状の第１係合突条を設けるととも外周に第１歯部を設けた筒状壁を立設する栓体を具え、
キャップは、天板部から垂下し、外周に環状の第２係合突条が形成された係着突部と、係着突部の外側に配設される切断筒部と、さらに切断筒部の外側に配設されるねじ部とを具え、中栓に装着されたとき、第２係合突条が第１係合突条を乗り越えて筒状壁内周面に液密に嵌合し、切断筒部の内周には、キャップを螺脱させるときのみ第１歯部に係合する第２歯部が配設されていることを特徴とする抜栓キャップ。
【請求項２】
係着突部と切断筒部とねじ部は、キャップの天板部に形成された頂壁の内面から一体に垂設され、第１歯部と第２歯部は、キャップを螺着方向に回転したときは係合せず、螺脱方向に回転したときには係合するラチェット機構であることを特徴とする請求項１記載の抜栓キャップ。
【請求項３】
第１歯部と第２歯部で構成されるラチェット機構は、いずれか一方に係合先端部を有する変形可能な係合腕と、他方に係合先端部に係合可能な係合面と係合を回避する非係合面とを有する係合突起を具え、螺着時には係合腕が変形して係合突起を乗り越えるようにそれぞれ配設されていることを特徴とする請求項２記載の抜栓キャップ。
【請求項４】
切断筒部の下部には、注出筒内周面に当接して注出口を密閉するシール部が形成されていることを特徴とする請求項１〜３のいずれかに記載の抜栓キャップ。
【請求項５】
キャップは、天板部に開口部が形成された環状の第１頂壁から垂設されたねじ部を具えるキャップ本体と、該開口部に嵌合し、天板部に形成された第２頂壁から垂設された係着突部と切断筒部とを具える小蓋部とからなり、
第１歯部と第２歯部は、互いに噛合する開栓ローレット部を構成することを特徴とする請求項１記載の抜栓キャップ。
【請求項６】
第１頂壁内面から密封筒がねじ部より内側に垂設され、密封筒は下部を注出筒の内周面に当接して注出口を密封するとともに内周面に環状突出部を形成し、小蓋部を第１頂壁の開口部に嵌合したとき、切断筒部の下端が環状突出部の上面に液密に当接するようにしたことを特徴とする請求項５記載の抜栓キャップ。
【請求項７】
中栓の下端には、容器本体の口部に嵌合する環状溝を形成する内筒と外筒を具えた嵌合筒部が設けられ、
キャップの外周面を形成する外周壁の下端には、破断可能な複数の弱化連結部により連結された封緘リングが設けられ、
中栓の外筒の外周面と封緘リングの内周面には、互いに噛合する開封ローレット部が設けられていることを特徴とする請求項１〜６のいずれかに記載の抜栓キャップ。
【発明の詳細な説明】
【技術分野】
【０００１】
本発明は、除去可能な栓体を有する中栓を具えたキャップに関し、とくにプルリングを用いない開栓機構を具えた抜栓キャップに関するものである。
【背景技術】
【０００２】
従来、ドレッシングや調味料などを収容する食品容器には、開封時まで容器内を密封状態にしておくために、容器口部に装着された中栓に、弱化部により画成された除去壁部を形成した隔壁を設け、除去壁部に設けられたプルリングを引き上げて該除去壁部を引きちぎって注出口を開栓する抜栓キャップが広く用いられている。
【０００３】
しかしながら、プルリングを引き上げて弱化部を破断するには比較的大きな力が必要であり、指先の力が弱い子供やお年寄りには開封が困難なことがあった。
また、プルリングの引き上げ方によってはプルリングが途中でちぎれてしまい、開封が困難になる場合があった。
このため、プルリングによる開栓ではなく、オーバーキャップの螺合部の回転動作によって開栓することができるキャップが先行技術として従来より知られている（例えば、特許文献１参照）。
【先行技術文献】
【特許文献】
【０００４】
【特許文献１】特開２０１１−２２５２２０号公報
【発明の概要】
【発明が解決しようとする課題】
【０００５】
上記特許文献１記載のキャップ１は、オーバーキャップ３の螺合部を締め込むことによって分離部４を本体部２０から切り離して開栓し、開栓後は、分離部４がオーバーキャップ３に保持され、開口部を密閉する内側シール栓として機能するものである。
しかしながら、上記キャップ１は、通常の開栓時の動作と異なり、一度オーバーキャップのねじを締め込む方向に回動してから、その後、逆にねじを緩める方向に回動してオーバーキャップ３を取り外して開封しなければならないため、使用者にとってわかりにくく、かつ手間がかかるという問題があった。
また、オーバーキャップ３の内壁に係合しただけの分離部４では、シール性能が十分とはいえないという問題があった。
【０００６】
本発明は、上記問題を解決することを課題とし、プルリングを用いずにキャップをねじの解放方向に回動するだけで簡単に開栓することができ、開栓した後に再度キャップを閉じた際には、確実に容器内を密封して衛生的な抜栓キャップを提供することを目的とする。
【課題を解決するための手段】
【０００７】
本発明は、上記の課題を解決するため、抜栓キャップとして、容器本体の口部に装着され、注出口を形成して内容物を案内する注出筒を有する中栓と、該中栓に螺合して着脱可能に装着されるキャップとからなり、中栓は、注出筒の内周面に薄肉弱化部を介して連結され、内周に環状の第１係合突条を設けるととも外周に第１歯部を設けた筒状壁を立設する栓体を具え、キャップは、天板部から垂下し、外周に環状の第２係合突条が形成された係着突部と、係着突部の外側に配設される切断筒部と、さらに切断筒部の外側に配設されるねじ部とを具え、中栓に装着されたとき、第２係合突条が第１係合突条を乗り越えて筒状壁内周面に液密に嵌合し、切断筒部の内周には、キャップを螺脱させるときのみ第１歯部に係合する第２歯部が配設されていることを特徴とする構成を採用する。
【０００８】
抜栓キャップの実施形態として、係着突部と切断筒部とねじ部は、キャップの天板部に形成された頂壁の内面から一体に垂設され、第１歯部と第２歯部は、キャップを螺着方向に回転したときは係合せず、螺脱方向に回転したときには係合するラチェット機構であることを特徴とする構成、また、第１歯部と第２歯部で構成されるラチェット機構は、いずれか一方に係合先端部を有する変形可能な係合腕と、他方に係合先端部に係合可能な係合面と係合を回避する非係合面とを有する係合突起を具え、螺着時には係合腕が変形して係合突起を乗り越えるようにそれぞれ配設されていることを特徴とする構成、切断筒部の下部には、注出筒内周面に当接して注出口を密閉するシール部が形成されていることを特徴とする構成を採用する。
【０００９】
抜栓キャップの別実施形態として、キャップは、天板部に開口部が形成された環状の第１頂壁から垂設されたねじ部を具えるキャップ本体と、該開口部に嵌合し、天板部に形成された第２頂壁から垂設された係着突部と切断筒部とを具える小蓋部とからなり、第１歯部と第２歯部は、互いに噛合する開栓ローレット部を構成することを特徴とする構成、また、第１頂壁内面から密封筒がねじ部より内側に垂設され、密封筒は下部を注出筒の内周面に当接して注出口を密封するとともに内周面に環状突出部を形成し、小蓋部を第１頂壁の開口部に嵌合したとき、切断筒部の下端が環状突出部の上面に液密に当接するようにしたことを特徴とする構成、さらに、中栓の下端には、容器本体の口部に嵌合する環状溝を形成する内筒と外筒を具えた嵌合筒部が設けられ、キャップの外周面を形成する外周壁の下端には、破断可能な複数の弱化連結部により連結された封緘リングが設けられ、中栓の外筒の外周面と封緘リングの内周面には、互いに噛合する開封ローレット部が設けられていることを特徴とする構成を採用する。
【発明の効果】
【００１０】
本発明の抜栓キャップは、中栓の注出筒内周面に薄肉弱化部を介して連結された栓体と、キャップの切断筒部との間に、キャップを螺脱させるときのみ係合する第１歯部と第２歯部が配設されているから、プルリングを用いずに開栓することができるとともに、難しい操作をすることなく、通常の開蓋操作と同様にキャップをねじの解放方向に回動するだけで簡単に開栓することができる。
また、係着突部に設けられた環状の第２係合突条が栓体の筒状壁内周面に液密に嵌合しているから、キャップの回転力がラチェット機構を介して栓体に伝わりやすいとともに、筒状壁の筒内に内容物が溜まるようなことがなく、清潔で衛生的なものとすることができる。
【図面の簡単な説明】
【００１１】
【図１】抜栓キャップの第１実施例における打栓された直後の状態を示す図であり、（ｂ）は正面断面図、（ａ）は図（ｂ）のＥ−Ｅ線における断面矢視図である。
【図２】（ａ）は開封前の第１実施例抜栓キャップの正面図、（ｂ）は同下面図である。
【図３】第１実施例抜栓キャップの中栓を示す図であり、（ａ）は上面図、（ｂ）は正面半断面図、（ｃ）は図（ｂ）の要部Ｄの拡大図である。
【図４】第１実施例抜栓キャップのキャップを示す図であり、（ａ）は正面断面図、（ｂ）は下面図である。
【図５】図４（ａ）のＦ−Ｆ線における断面矢視図である。
【図６】第１実施例抜栓キャップのキャップを中栓に締め込む際のラチェット動作を示す図である。
【図７】第１実施例抜栓キャップを開封した直後の状態を示す図であり、（ｂ）は正面断面図、（ａ）は図（ｂ）のＧ−Ｇ線における断面矢視図である。
【図８】抜栓キャップの第２実施例における開封前の状態を示す図であり、（ｂ）は正面断面図、（ａ）は図（ｂ）のＨ−Ｈ線における断面矢視図である。
【図９】図８（ｂ）の要部Ｋの拡大図である。
【発明を実施するための形態】
【００１２】
次に、本発明の抜栓キャップについて、実施例を示した図面を参照して説明する。
【実施例１】
【００１３】
図１〜７において、Ａは容器本体、Ｂは容器本体Ａに装着される中栓、Ｃは中栓Ｂに螺合して装着されるキャップである。
【００１４】
図１、２に示すように、容器本体Ａの口部１は、中栓Ｂに嵌着して抜け止め保持する係止突条２を具えている。
図３に示すように、中栓Ｂは、外周側の外筒５、内周側の内筒６、口部１の天面側に位置する上壁７とからなり、口部１が嵌入する環状溝を形成する嵌合筒部４と、上壁７に連設して立設されたねじ壁部８と、ねじ壁部８の上端に段部９を介して連設された注出筒１０とからなっている。
【００１５】
注出筒１０は容器本体Ａ内に収容された内容物を注出する注出口を形成し、円筒状の基部１１と、基部１１の上部に拡径して外側に湾曲するリップ部１２とを有する。
注出筒１０の基部１１の内周面には、全周にわたって形成された薄肉弱化部１５を介して栓体１６が一体に連設されている。
栓体１６は、上部に円筒状の筒状壁１７が立設され、下部は底壁１４が薄肉弱化部１５とともに注出口を密閉している。
【００１６】
筒状壁１７は、外周にラチェット機構の一方の第１歯部を構成する係合突起１８が突設され、内周上部には環状の第１係合突条１９が突設されている。
係合突起１８は、後述するキャップＢの第２歯部と係合する略径方向に形成された係合面２０と、その周方向反対側に形成された緩斜面からなる非係合面２１とを有する。
底壁１４は、筒状壁１７の外周側に下面から所定の高さを有する拡径部２２と、拡径部２２の外周側に連設され、外側に向けて漸次肉薄になるとともに薄肉弱化部１５に連設するフランジ部２３とを有し、下面には、図２（ｂ）に示すように、所定円弧範囲に４個所に設けられた凹部２４によって十字状のリブ２５が形成されている。
【００１７】
ねじ壁部８は、注出筒１０の下部に内周縁で連設した段部９の外周縁から垂設され、外周面には雄ねじ２７が設けられている。
また、ねじ壁部８の内周面には、上部を段部９に連設し軸方向に延びる補強リブ２８が突設されている。
【００１８】
嵌合筒部４は、上壁７が内周縁でねじ壁部８の下部で連設し、上壁７の下部には外筒５と内筒６が垂設されている。
外筒５と内筒６の間には、容器本体Ａの口部１が嵌入する嵌合溝が形成され、外筒５の内周には、口部１を抜け止めする係止縮径部２９が設けられている。
また、外筒５の外周面には開封ローレット部３０の一方のローレット３０ａが設けられている。
【００１９】
図４、図５に示すように、キャップＣは、天板部に設けられた頂壁４０と、頂壁４０の外周縁から垂設された外周壁４１とを有し、外周壁４１の下端には、破断可能な複数の弱化連結部４２により連結された封緘リング４３が設けられている。
頂壁４０の内面には、中央付近に垂設された係着突部４５から外側へ順に、切断筒部４６，ねじ筒部４７が頂壁４０と一体に垂設され、ねじ筒部４７は、補強壁４８によって外周壁４１と連設している。
【００２０】
係着突部４５には、中栓Ｂの第１係合突条１９を乗り越えて筒状壁１７の内周面に液密に嵌合する環状の第２係合突条５０が先端外周に形成されている。
切断筒部４６は、内周には、第１歯部を構成する係合突起１８に係合する第２歯部を構成する係合腕５２が設けられ、先端には、注出筒１０の内周面に当接して注出口を密閉するシール部５３が形成されている。
切断筒部４６の長さは、シール部５３が注出筒１０の基部１１に当接し、先端部が栓体１６の拡径部２２とわずかな隙間をもって嵌入するところまで延びている。
【００２１】
係合腕５２は、図７に示されるように、開栓時にキャップＣをねじ解放方向に回転させたとき、係合突起１８の係合面２０に係合する略径方向の面を有する係合先端部５４を具えている。
係合腕５２は、薄肉弱化部１５を破断可能な回転力を伝えることができる程度の強度と、図６に示されるように、キャップＣの締め込み時に係合突起１８を乗り越えることができる程度の可撓性を有する部材からなっている。
【００２２】
ねじ部を構成するねじ筒部４７は、内周に中栓Ａの雄ねじ２７に螺合する雌ねじ５５が設けられ、下端が上壁７に当接するとキャップＣの締め込みが完了する。
このとき、切断筒部４６は、シール部５３が注出筒１０に当接するとともに、先端部が栓体１６の拡径部２２とわずかな隙間をもって嵌入し、同時に、第２係合突条５０が第１係合突条１９を乗り越えて液密に嵌合するように、ねじ筒部４７の高さが設定されている。
【００２３】
外周壁４１の下端には、破断可能な複数の弱化連結部４２により封緘リング４３が連結されており、図５に示すように、周方向に４つの弱化連結部４２が設けられている。
また、封緘リング４３の上面には、外周壁４１の下端との間にわずかな隙間を残して上部突起５６が、弱化連結部４２と重ならないように周方向４個所に設けられている。
これら弱化連結部４２，上部突起５６の数や配置位置はこれに限定されず、適宜設定することができる。
封緘リング４３の内周面には、中栓Ａの外筒５に設けられたローレット３０ａと噛み合うローレット３０ｂが形成され、開封ローレット部３０を構成している。
次に、本実施例の使用態様と作用効果について説明する。
【００２４】
まず、本実施例の抜栓キャップを容器本体Ａに装着するには、中栓ＢにキャップＣを螺合して締め込み、口部１に中栓Ｂの嵌合筒部４をあてがって上部から打栓する。
図６に示すように、中栓Ｂの雄ねじ２７にキャップＣの雌ねじ５５を螺合して締め込む際には、キャップＣが矢印Ｒ方向に回転し、係合腕５２は非係合面２１に乗り上げ、係合突起１８を乗り越えて、キャップＣの回転を許容する。
また、開封ローレット部３０は、打栓前には嵌合筒部４に口部１が嵌合していないので、外筒５のローレット３０ａと封緘リング４３のローレット３０ｂの噛み合いは緩く、封緘リング４３はキャップＣと一体に回転する。
なお、中栓ＢにキャップＣを締め込むには、図２（ｂ）に示される凹部２４に嵌合する治具を用いて中栓Ｂを固定して行う。治具を嵌合固定するには、補強リブ２８を利用してもよい。
【００２５】
キャップＣが螺合によって下降していくと、係着突部４５の第２係合突条５０が筒状壁１７の第１係合突条１９に当接するようになり、さらに下降することにより、第２係合突条５０が第１係合突条１９を乗り越えて、筒状壁１７の内周面に液密に嵌合するようになる。
図１に示すように、ねじ筒部４７の下端が上壁７に当接してキャップＣの締め込みが完了したとき、シール部５３は注出筒１０に当接し密封する。
同時に、第２係合突条５０が第１係合突条１９を乗り越えて、第１係合突条１９の下部に係合し、筒状壁１７の内周面に液密に嵌合しているから、内容物が筒状壁１７の筒内まで侵入して溜まるようなことがない。
【００２６】
キャップＣの締め込み完了時には、図１（ａ）に示すように、係合腕５２の係合先端部５４は、係合突起１８の係合面２０から離れた位置に配置されるように、雄ねじ２７と雌ねじ５５の締め込み位置が設定されている。
上記のように締め込まれた本実施例の抜栓キャップを打栓すると、口部１が嵌合筒部４に嵌合して外筒５を外側にわずかに押し広げ、外筒５のローレット３０ａと封緘リング４３のローレット３０ｂが固く噛み合うようになる。
そのため、封緘リング４３を除去しないかぎり開封することができないため、目視で開封状況を容易に確認することができ、いたずら等による開封を防止することができる。
【００２７】
本実施例の抜栓キャップが打栓され装着された容器を使用するには、キャップＣを螺脱方向（図７（ａ）における矢印Ｌ方向）に回転させる。
キャップＣの回転が始まると、開封ローレット部３０が固く噛み合っているので、封緘リング４３の回転が阻止され、まず弱化連結部４２が破断する。
さらに、回転を進めると、図７（ａ）に示すように、係合腕５２の係合先端部５４が係合突起１８の係合面２０に当接して係合し、キャップＣの回転力がラチェット機構を介して栓体１６に加わるようになる。
【００２８】
このとき、係着突部４５の第２係合突条５０が筒状壁１７の内周面に液密に固く嵌合して筒状壁１７を内側から補強しているので、キャップＣの回転力がラチェット機構を介して栓体１６に伝わりやすくなっている。そのため、開栓操作が容易であるとともに、薄肉弱化部１５を比較的厚肉に設定することができる。
図７（ｂ）に示すように、キャップＣの回転がさらに進むと、ついには薄肉弱化部１５が破断して注出口が開栓され、注出筒１０から分離された栓体１６は筒状壁１７に係合する係着突部４５によって引き上げられてキャップＣとともに上昇していく。
【００２９】
ここで薄肉弱化部１５は、図３（ｃ）に示すように、薄肉弱化部１５の下面と注出筒２５の内周面とのなす角度θが、４０〜８０°の範囲にあることが好ましく、より好適には６０°程度であることが好ましい。
このように薄肉弱化部１５を形成することによって、締め込み時の第２係合突条の嵌合に耐えるとともに、開栓時には破断しやすくなるという効果がある。
【００３０】
容器を使用した後、再度キャップＣを中栓Ｂに装着する際には、栓体１６のフランジ部２３および破断した薄肉弱化部１５の残片によって、注出筒１０の内周面に付着した内容物を掻き落とされ、注出筒１０を清潔に保つことができる。
また、切断筒部４６は、シール部５３が注出筒１０に当接して容器内を密封するとともに、先端部が栓体１６の拡径部２２とわずかな隙間をもって嵌入しているので、当該隙間から切断筒部４６の内側に内容物が入りにくくなっている。
そのため、第２係合突条５０と筒状壁１７の内周面との液密嵌合によって筒状壁１７の筒内への内容物の侵入を防止していることとあいまって、抜栓キャップ内を清潔に保つことができるとともに、キャップＣを取り外したときに内容物が垂れて周囲を汚したりすることがない。
【実施例２】
【００３１】
次に、第１歯部および第２歯部の噛み合い機構の構成を変更するのにともなってキャップの構成を変更した第２実施例について説明する。
以下、第１実施例と同一の構成部分には同一の符号を付し、相違点を中心に説明する。
【００３２】
図８，９に示すように、キャップＣａは、外周側のキャップ本体Ｃａ１と、キャップ本体Ｃａ１の内周側に嵌合する小蓋部Ｃａ２からなっている。
キャップ本体Ｃａ１は、天板部に開口部６０を有する環状の第１頂壁１４０ａが形成され、第１頂壁１４０ａの外周側に外周壁４１と、外周壁４１の内側に補強壁４８で一体に連設されねじ部を構成するねじ筒部４７が垂設されている。
【００３３】
第１頂壁１４０ａの内周側には、後述する小蓋部Ｃａ２の嵌合凸部６６が係合する開口下端部６１が開口部６０より拡径して形成され、開口下端部６１から下方に密封筒６３が垂設されている。
密封筒６３の内周面には環状突出部６４が突設され、密封筒６３の先端には中栓Ｂの注出筒１０内周面に当接するシール部１５３が形成されている。
【００３４】
小蓋部Ｃａ２は、天板部に第２頂壁１４０ｂが形成され、第２頂壁１４０ｂの内面から係着突部１４５と切断筒部１４６が垂設されており、切断筒部１４６の外周面には、開口下端部６１に係合する嵌合凸部６６が形成されている。
小蓋部Ｃａ２がキャップ本体Ｃａ１の開口部６０に嵌合されたときには、嵌合凸部６６が開口部６０を乗り越えて開口下端部６１に係合するとともに、切断筒部１４６の下端が環状突出部６４の上面に当接し、開口下端部６１と環状突出部６４の上面とで小蓋部Ｃａ２を押圧して緩みなく固定する。
同時に、切断筒部１４６の下端と環状突出部６４の上面との当接面がシール機能を果たし、容器内の内容物が外部に漏出することを防止する。
【００３５】
切断筒部１４６の内周側には、第２歯部を構成するローレット７０ｂが形成され、中栓Ｂの筒状壁１７外周面に設けられた第１歯部を構成するローレット７０ａとともに、開栓ローレット部７０を構成する。
その他の構成は、実施例１と同様である。
次に、本実施例の使用態様と作用効果について説明する。
【００３６】
キャップＣａを中栓Ｂに締め込んで抜栓キャップを組み立てるには、まずキャップ本体Ｃａ１を中栓Ｂに螺合し、ねじ筒部４７の下端が上壁７に当接するまで締め込む。
このとき、容器の口部１が嵌合筒部４に嵌合していないため、開封ローレット３０の噛み合いは緩く、封緘リング４３が分離することなくキャップ本体Ｃａ１と一体に回転することは、実施例１と同様である。
【００３７】
キャップ本体Ｃａ１の締め込みが完了すると、密封筒６３のシール部１５３が注出筒１０の内周面に当接して密封する。
締め込み完了後、開栓ローレット７０が噛み合うようにローレット７０ａと７０ｂの位置を合わせた上で、小蓋部Ｃａ２を開口部６０に嵌合させる。
小蓋部Ｃａ２の嵌合凸部６６は、開口部６０を乗り越えて開口下端部６１に嵌合するようになる。同時に、切断筒部１４６の下端が環状突出部６４の上面に当接して小蓋部Ｃａ２のキャップ本体Ｃａ１への嵌合取り付けが完了する（図８参照）。
【００３８】
小蓋部Ｃａ２のキャップ本体Ｃａ１への組み付けが完了すると、第２頂壁１４０ｂは第１頂壁１４０ａと面一になるとともに、小蓋部Ｃａ２は開口下端部６１に嵌合して緩みなく一体に固定されているので、キャップ本体Ｃａ１から脱落するようなことはない。
また、密封筒６３は、シール部１５３が注出筒１０に当接して密封するとともに、先端部が栓体１６の拡径部２２とわずかな隙間をもって嵌入するようになっている。
小蓋部Ｃａ２の組み付けが完了すると、係着突部１４５の第２係合突条５０が第１係合突条１９を乗り越えて、筒状壁１７の内周面に液密に嵌合すること、および、組付けを完了したキャップＣａが打栓されて容器口部１に装着されると、開封ローレット部３０が固く噛み合うことなどは実施例１と同様である。
【００３９】
本実施例の抜栓キャップが装着された容器を使用するには、キャップＣａを螺脱方向に回転させる。
キャップ本体Ｃａ１に回転力が加わると、封緘リング４３は開封ローレット部３０により回転が阻止されて弱化連結部４２が破断し、キャップ本体Ｃａ１から分離する。
同時に、キャップ本体Ｃａ１の回転力は、キャップ本体Ｃａ１に一体に固定された小蓋体Ｃａ２を介して開栓ローレット７０に作用する。
噛み合い嵌合しているローレット７０ａ，７０ｂにより、回転力は筒状壁１７を介して栓体１６に働き、ついには薄肉弱化部１５を破断し、栓体１６を注出筒１０の内周面から分離して開栓する。
【００４０】
その後、注出筒１０から分離された栓体１６が筒状壁１７に係合する係着突部４５によってキャップＣａと一体になることや、再度キャップＣａを中栓Ｂに装着する際の使用態様等は実施例１と同様である。
本実施例の抜栓キャップは、キャップＣａをキャップ本体Ｃａ１と小蓋体Ｃａ２とから組み立てるように構成することで、第１歯部、第２歯部の構成を簡単な構造のローレット嵌合とすることができたから、壊れにくく安価なものにすることができる。
その他の作用効果は、実施例１と同様である。
【産業上の利用可能性】
【００４１】
本発明の抜栓キャップは、プルリングを用いずにキャップをねじの解放方向に回動するだけで簡単に開栓することができ、開栓した後に再度キャップを閉じる際には、確実に容器内を密封することができるとともに清潔に保つことができるから、調味料などの食品充填用容器のキャップとして好適に利用できる。
【符号の説明】
【００４２】
Ａ            容器本体
Ｂ            中栓
Ｃ，Ｃａ      キャップ
Ｃａ１          キャップ本体
Ｃａ２          小蓋体
１            口部
２            係止突条
４            嵌合筒部
５            外筒
６            内筒
７            上壁
８            ねじ壁部
９            段部
１０            注出筒
１１            基部
１２            リップ部
１４            底壁
１５            薄肉弱化部
１６            栓体
１７            筒状壁
１８            係合突起（第１歯部）
１９            第１係合突条
２０            係合面
２１            非係合面
２２            拡径部
２３            フランジ部
２４            凹部
２５            十字状リブ
２７            雄ねじ
２８            補強リブ
２９            係止縮径部
３０            開封ローレット部
３０ａ，３０ｂ  ローレット
４０            頂壁（天板部）
４１            外周壁
４２            弱化連結部
４３            封緘リング
４５、１４５    係着突部
４６，１４６    切断筒部
４７            ねじ筒部（ねじ部）
４８            補強壁
５０            第２係合突条
５２            係合腕（第２歯部）
５３，１５３    シール部
５４            係合先端部
５５            雌ねじ
５６            上部突起
６０            開口部
６１            開口下端部
６３            密封筒
６４            環状突出部
６６            嵌合凸部
７０            開栓ローレット部
７０ａ          ローレット（第１歯部）
７０ｂ          ローレット（第２歯部）
１４０ａ        第１頂壁（天板部）
１４０ｂ        第２頂壁（天板部）
【図１】
2015105130.tif 000003
【図２】
2015105130.tif 000004
【図３】
2015105130.tif 000005
【図４】
2015105130.tif 000006
【図５】
2015105130.tif 000007
【図６】
2015105130.tif 000008
【図７】
2015105130.tif 000009
【図８】
2015105130.tif 000010
【図９】
2015105130.tif 000011